(57)【特許請求の範囲】
【請求項１】
耳孔装着時に少なくとも鼓膜における頭部前方側と、頭部後方側に対して指向性を有する複数の温度センサを備える耳内体温計測部を組み込んだ２個の耳装着体と、前記耳装着体を相対向状態で先端部分に保持すると共に、対向方向に付勢するアーチ状の装着付勢部と、前記計測部の各温度センサの各検温データを比較する演算処理をし、処理結果を表示する処理部とで構成したことを特徴とする頭部の左右血流バランス検査装置。
【請求項２】
鼓膜における頭部前方側と、頭部後方側に対して指向性を有する温度センサの他に、前記指向方向の中間部位を指向する指向性温度センサを備えてなる請求項１記載の頭部の左右血流バランス検査装置。
【請求項３】
各温度センサの各検温データの時間的変位を比較する演算処理をして、脳の活動変化を把握する請求項１又は２記載の頭部の左右血流バランス検査装置。
【請求項４】
耳装着体に、空気振動検知部を備えてなる請求項１乃至３記載の何れかの頭部の左右血流バランス検査装置。
【請求項５】
耳装着体に、外部音の増幅、所定音量の発生等の音発生機構を組み込んでなる請求項１乃至４記載の何れかの頭部の左右血流バランス検査装置。
【発明の詳細な説明】
【０００１】
【産業上の利用分野】
本発明は、耳に装着して耳内の体温を計測する体温計、及び耳内の体温を計測して頭部血流状態（左右のバランス）を把握し、脳卒中や脳梗塞の予防や種々の検査を行う検査装置に関するものである。
【０００２】
【従来技術及び発明が解決しようとする課題】
耳孔に装着して体温を計測する器具は、従前より広く知られている。またその計測も鼓膜温度の計測を主眼とし、特に計測位置によって誤差が生じない工夫が提案されている。
【０００３】
例えば耳孔内の体温を赤外線量で計測するための具体的機構は、特開２００１−５４５０５号公報に開示されており、検出箇所を正確にするために指向性を備える手段は、特開２０００−１３９８４９号公報、特開２００１−５４５０５号公報に開示されている。
【０００４】
また複数の指向方向を備えて体温を計測する技術は、特開平８−２７５９２４号公報、特開平７−１８４８６６号公報に開示されている。
【０００５】
更に前記センサで検知した温度の電気的処理や正否検知処理は、特開２００１−３４６７７６号公報、特開２００１−３４０３０２号公報に開示されている。
【０００６】
また耳孔装着体温計を正確な位置に装着する手段としては、所謂ヘッドホンスタイルとすることが、特開平６−９０９０９号公報に開示されている。
【０００７】
前記の体温計は、正確な体温を計測することを目的としており、複数の指向性を有する複数センサを備えるのも、器具の耳孔装着状態間の不正確さを改善することを目的としている。
【０００８】
ところで、耳孔の体温測定に際して、装着状態の正確さを求めたり、複数の指向先体温を計測するのは、耳孔内の体温が一定でないためである。即ち鼓膜周辺に脳に血液を供給する動脈と、排出する静脈が近接しており、血流の変動や血管への遠近によって体温が変化するためである。
【０００９】
そこで本発明は、この体温変位（時間的変位及び位置的変位）を検知して、検査対象の脳血流状態（特に左右血流バランス）を把握して、種々に応用できる検査装置を提案したものである。
【００１０】
【課題を解決する手段】
本発明に係る頭部の左右血流バランス検査装置は、耳孔装着時に少なくとも鼓膜における頭部前方側と、頭部後方側に対して指向性を有する温度センサを備える耳内体温計測部を組み込んだ２個の耳装着体と、前記耳装着体を相対向状態で先端部分に保持すると共に、対向方向に付勢するアーチ状の装着付勢部と、前記計測部の計測結果を所定の演算処理して、表示する処理部とで構成したことを特徴とするものである。
【００１１】
従って装着付勢部の採用によって耳装着体が正常位置に装着され、耳内体温計測部によって所定部位（指向方向部位）の体温を測定し、各部位の温度差から、動脈流と静脈流の左右の脳血流バランス（脳の活動状態）を知ることができる。
【００１２】
また指向性温度センサを鼓膜周囲部分の多数箇所の温度を計測するようにすると（請求項２の発明）、より正確に脳活動を把握できる。
【００１３】
また計測結果の時間的変位に基づいて脳の活動変化を把握すると（請求項３の発明）、外的要因の付加とあわせて時間的変化をみることで、計測者の心理的な動きも知ることができる（嘘発見器としての応用が可能である）。
【００１４】
更に耳装着体に、振動検知部を備えてなることで（請求項４の発明）、血液流量に基づく計測だけではなく、動脈瘤を原因とする雑音を拾うこともできる。
【００１５】
更に耳装着体に、外部音の増幅、所定音量の発生等の音発生機構を組み込んでなると（請求項５の発明）、耳装着体の装着状態で、外部音を容易に聞き取ることができるし、聴力検査にも応用できる。
【００１６】
【実施の形態】
次に本発明の実施形態について説明する。実施形態に示した装置は、２個の耳装着体１と、装着付勢部２と、処理部（パソコン等）３とで構成される。
【００１７】
耳装着体１は、所定の指向性を備えた複数の耳内体温計測部１１と、振動検知部１２と、音発生機構１３を組み込んでなり、検知したデータを処理部３に出力したり音声入力を行うデータ線１４を有してなる。
【００１８】
耳内温度計測部１１は、耳装着体１を耳内に装着した際に、図３に例示したように鼓膜Ａの中央部分イ、外周部分ロ、ハ、ニ、ホ、ヘ、トに対して指向性を有するように導波管を内装し、且つ各導波管で導かれた赤外線を検知する温度センサで構成される。特に指向方向としては、動脈Ｂの影響が直ぐに表れ易い部位（鼓膜における頭部前方側）ロ、動脈Ｂの影響が直ぐに表れ難い部位（鼓膜における頭部後方側）ホ、静脈Ｃの影響が直ぐに表れ易い部位ヘや、前記部位の中間部分となる部位ハ、ニ、トが最適である。勿論前記中間部位ハ、ニ、トは省略しても良い。これらの検温データは各センサ毎に独立したデータとして処理部３に送られる。
【００１９】
振動検知部１２は、微細に空気振動を検知するもので、動脈Ｂの血流音を把握できるようにしたものである。
【００２０】
音声発生部１３は、耳装着体１を耳に装着しても、外部音（各種診察時の聴聞のための質問や、嘘発見器として使用した場合の質問の為）を確実に聞き取りができるようにしたり、所定音を発生させて聞き取り可能であるか等の聴力測定用として使用するものである。
【００２１】
装着付勢部２は弾性体で形成され、両先端部分に耳装着体１を相対向して付設したもので、耳装着体の差し込み部分を耳内に装着した際に、位置ずれが生じないように対向方法に付勢するものである。
【００２２】
処理部３は、使用目的に応じて、前記耳内体温計測部１１で検知した各所（イ、ロ、ハ、ニ、ホ、ヘ、ト）の耳内体温（赤外線量）を対比したり、時間的変位を算出して、その結果を表示する等のプログラムを組み込んだものである。
【００２３】
具体的には、全センサによる左右耳内温度を、各対応する部位を比較することで、左右の脳血流のバランスを知ることができる。また動脈Ｂに近い部位ロの温度と、動脈Ｂの影響が直ぐに表れ難い部位ホの温度と、静脈Ｃの影響が直ぐに表れ易い部位ヘの温度の各時間的変位を見ると、例えば部位ロの温度が急に変化すると、脳への血流が増大したことが示され、脳が興奮状態に移行したことを知ることができる（嘘発見器として応用できる）。
【００２４】
更に前記の部位ロの温度変化が動脈血流にのみ依存しているか否かの確認は、部位ホの温度検知値の時間的変位と対応することで可能である（検知結果による補正が可能）。
【００２５】
従って各部位の温度を計測し、その位置的変位や時間的変位を比較検証することで、脳血流状態を把握することができ、頭部の左右血流のバランスを知ることにより脳卒中や脳梗塞など頭部血流に関する疾病予防の対策の資料とすることができる等の各医療分野における診断用機器とすることができる。
【００２６】
更に振動検知部１２や音声発生装置１３を組み込むことにより、血流音を探知して動脈瘤などの発見機器として使用できるし、外部音声の伝達が容易になされることで、嘘発見器としての機能も果たすことになるし、聴力検査機器として使用できる。
【００２７】
【発明の効果】
以上のように本発明は、耳装着時に少なくとも鼓膜における頭部前方側と、頭部後方側に対して指向性を有する温度センサを備える耳内体温計測部を組み込んだ２個の耳装着体と、前記耳装着体を相対向状態で先端部分に保持すると共に、対向方向に付勢するアーチ状の装着付勢部と、前記計測部の計測結果を所定の演算処理して、表示する処理部とで構成した頭部の左右血流バランス検査装置で、各部位の位置的温度差や時間的温度差から、動脈流と静脈流の左右の脳血流バランスや脳の活動状態を知ることができ、各種診断用機器として応用できたものである。
【図面の簡単な説明】
【図１】本発明の実施形態の全体斜視図。
【図２】同耳装着体の構造説明図。
【図３】同検査対象部位の説明図。
【符号の説明】
１      耳装着体
１１    耳内体温計測部
１２    振動検知部
１３    音発生機構
１４    データ線
２      装着付勢部
３      処理部
【図１】
0003600829.tif 000002
【図２】
0003600829.tif 000003
【図３】
0003600829.tif 000004